(57)【要約】【課題】  従来、ワゴンは、荷物収容、又は陳列用として使用されることと、比較的、重い商品とか、大型の商品、又は多数の商品を、陳列、販売用として積載する。その為に、大型であり、場所を取るので、例えば、不使用時には、その収容に困ることと、邪魔となり、かつ場所を占領することがあり、その対策が要望されている。しかし、市場では、自由に折畳みができるワゴンの提案がないのが現況である。【解決手段】  底枠と、底枠の辺に起伏自在に設けた複数の側枠で構成した荷物収容、陳列用のワゴンであって、側枠の折畳み、折畳み後の重畳を確保する為に、側枠と底枠とのそれぞれ連設箇所に、複数のヒンジ部、又は枢支部を設け、各連設箇所で、かつヒンジ部より離間した箇所、又は枢支部に、側枠に重畳時の折畳み代を確保する折畳み代構造を設け、各側枠の外方側に、各側枠の外方側への転倒防止を図る規制板を設けワゴンである。【選択図】      図１−１
2013048862.tif 000002
【特許請求の範囲】
【請求項１】
ネットフレーム、又は底板でなる底枠と、この底枠の四辺、又は二辺に起伏自在に設けたネットフレーム、又は側枠でなる対の側枠とで構成した荷物収容、又は陳列用のワゴンであって、
前記対の側枠の下端を、前記底枠の両端部に、それぞれ設けた側枠支持部に枢軸を介して枢着するとともに、この対の側枠の立設状態を、前記対の側枠支持部を介して確保し、かつ、この対の側枠間に差渡し支持した棚板、又は天板でなる固定板を介して、この対の側枠の固定状態を確保する構成としたワゴン。
【請求項２】
請求項１に記載のワゴンにおいて、
前記底枠の両端部にそれぞれ設けた側枠支持部には、それぞれ筒体を設け、この各筒体に、前記対の側枠の下端にそれぞれ設けた、長溝を備えた（差込み）脚部を抜差し自在に設け、かつこの長溝を、前記各筒体の上端に、それぞれ貫設した軸に遊嵌する構造とするとともに、この各筒体の内側に切込み部をそれぞれ形成し、この各切込み部と、この各軸とを利用して、前記対の側枠を折畳み可能とする構成としたワゴン。
【請求項３】
請求項２に記載のワゴンにおいて、
前記各筒体の内側に切込み部をそれぞれ形成し、この各切込み部を、長短構造として、前記対の側枠を折畳みした際に、この対の側枠を重畳可能とする構成としたワゴン。
【請求項４】
請求項１に記載のワゴンにおいて、
前記各側枠及び／又は各側枠支持部の立ち寸法を長短とし、この各側枠を折畳みした際に、この各側枠を、重畳可能とする構成としたワゴン。
【請求項５】
請求項１に記載のワゴンにおいて、
前記底枠の両端部にそれぞれ設けた側枠支持部は、コ字形の枠体であって、この各枠体に、前記対の側枠の下端の脚部の外面側を接離自在に設け、かつこの各枠体と、この各脚部とを、それぞれ枢軸を介して枢着し、この各枢軸により、前記対の側枠を折畳み可能とする構成としたワゴン。
【請求項６】
請求項５に記載のワゴンにおいて、
前記枢軸を、前記対の側枠に、高低差をもって設け、この対の側枠を折畳んだ際に、この対の側板を、重畳可能とする構成としたワゴン。
【請求項７】
請求項５、又は請求項１に記載のワゴンにおいて、
前記各側枠の下端にそれぞれ設けた側板の内面側に、対の袋部をそれぞれ設け、また、前記対の側枠支持部の内面側に、対の板材をそれぞれ昇降自在に設け、この対の板材を、前記対の袋部に抜差し自在に設けた構成であって、この対の板材の、前記袋部への差込みで、前記対の側枠の立設状態を確保する構成としたワゴン。
【発明の詳細な説明】
【技術分野】
【０００１】
本発明は、荷物収容、又は陳列用のワゴンに関するものであり、このワゴンは、大型であることに鑑み、自由に折畳みできる構造のワゴン（このワゴンには、市場で、陳列台、カートと呼ばれる陳列・店舗什器を含む）に関する。
【背景技術】
【０００２】
周知の如く、ワゴンは、荷物収容、又は陳列用として使用されることと、比較的、重い商品とか、大型の商品、又は多数の商品を、陳列、販売用として積載するために使用される。従って、大型であり、場所を取るので、例えば、使用しないとき（不使用時）には、その収容に困ることと、邪魔となり、かつ場所を占領することがあり、その対策が要望されている。しかし、市場では、自由に折畳みができ、かつ底板の上に、対の側板を折畳み、重畳できる（収容できる）こと、又はねじ回し等の工具を要さず、前記折畳み重畳できるワゴンの提案がないのが現況である。
【０００３】
従来文献によれば、折畳みができるワゴンとしては、次に挙げる複数の文献が、望ましい構造として挙げられる。以下、その番号を開示し、かつその内容を概述する。
【０００４】
先ず、文献１は、実用新案登録第３０３８１６８号公報の「折り畳み陳列台」である。この考案は、背面部材（対の柱）に、上下の平面部（底枠）の背面側を蝶着し、この上下の平板部を、それぞれ下上方向に折畳み可能とするとともに、上下の平面部に、周辺の前側面部材を、係合部と係合相手とを利用し、枠組み構成し、周辺の左右側面部材を、前記背面部材の背面側に蝶着し、左右側面部材を、折畳んだ上下の平面部に、折畳み、重畳する構成である。従って、折畳み可能であるが、立設した背面部材を中心として、上下の平面部と左右側面部材を、それぞれ立設状態で折畳み重畳するので、安定性が悪いことが考えられる。そして、この折畳みする上下の平面部と左右側面部材は、それぞれ、枠組み位置より外方側への転倒防止の構造を有さないので、手間を必要とすること、安全性に欠けること、等の問題点を抱えている。
【０００５】
次に、実開昭６１−３７８６４号公報の「ワゴン」である。この考案は、脚部と方形フレームとで構成し、この脚部が折畳み自在であり、方形フレームが拡縮自在とする構成である。従って、折畳みできるのは、脚部のみであり、収容時の利便性と、収容時の省スペース化を図ることができず、この点で問題を抱えている。但し、脚部を折畳む際に、折畳み代を構造に関しては、第４図に一案が示されている。
【０００６】
【特許文献１】実用新案登録第３０３８１６８号公報
【特許文献２】実開昭６１−３７８６４号公報
【発明の概要】
【発明が解決しようとする課題】
【０００７】
上記に鑑み、本発明は、次の構造と、この構造に基づく効果を達成する。
【０００８】
「イ」  対の側枠（側枠）を底枠に、折畳み可能とすることで、コンパクトな収容を可能とする。
【０００９】
「ロ」  底枠を床面等の設置面において通常の状態で、側枠を底枠に、折畳み可能となり、安心して作業ができる。
【００１０】
「ハ」  底枠を床面等の設置面において通常の状態で、側枠を底枠に、折畳み可能となり、底枠と側枠が平面状に折畳まれることで、次の折畳んだ底枠と側枠を、載置できる。また、この折畳んだ底枠と側枠を、順次、積層できる利点がある。さらに、この折畳みが、止め具、冶具等を必要とせず行える利点がある。
【００１１】
「ニ」  底枠と側枠を平面状に折畳んだ状態で、順次、積層する構造であり、最初に折畳んだ底枠と側枠を基台として、移動可能であること、また、最初に折畳んだ底枠と側枠を基台として、多数の折畳んだ底枠と側枠を、一度に移動できること、等の特徴がある。
【００１２】
「ホ」  側枠を組立てる際に、この側枠が、外方側と内方側への転倒が図れる構造となっており、組立ての容易化と、止め具、冶具等を必要とせず行えること、又は側枠の内方への転倒が皆無となり、危険性の回避と、安心して陳列作業・取替え作業が可能となり重宝する。
【００１３】
「へ」  側枠を組立てる際に、この側枠が、外方側への転倒が図れる構造となっており、かつ固定板で、側板立設状態が確保できるので、前記組立ての容易化の確保と、側枠の内方への転倒が皆無となり、危険性の回避と、安心して陳列作業・取替え作業が確保できる特徴がある。
【００１４】
「ト」  折畳み、かつ側枠を重畳する構造を採用することで、底枠の面に沿って、二枚、又は四枚の側枠を、略フラットに折畳み可能であり、整然と、かつ安心して折畳みができる。
【課題を解決するための手段】
【００１５】
請求項１・２の発明は、前記「イ」〜「へ」を達成することを意図する。
【００１６】
請求項１は、ネットフレーム、又は底板でなる底枠と、この底枠の四辺、又は二辺に起伏自在に設けたネットフレーム、又は側枠でなる対の側枠とで構成した荷物収容、又は陳列用のワゴンであって、
前記対の側枠の下端を、前記底枠の両端部に、それぞれ設けた側枠支持部に枢軸を介して枢着するとともに、この対の側枠の立設状態を、前記対の側枠支持部を介して確保し、かつ、この対の側枠間に差渡し支持した棚板、又は天板でなる固定板を介して、この対の側枠の固定状態を確保する構成としたワゴンである。
【００１７】
請求項２は、請求項１に記載のワゴンにおいて、
前記底枠の両端部にそれぞれ設けた側枠支持部には、それぞれ筒体を設け、この各筒体に、前記対の側枠の下端にそれぞれ設けた、長溝を備えた（差込み）脚部を抜差し自在に設け、かつこの長溝を、前記各筒体の上端に、それぞれ貫設した軸に遊嵌する構造とするとともに、この各筒体の内側に切込み部をそれぞれ形成し、この各切込み部と、この各軸とを利用して、前記対の側枠を折畳み可能とする構成としたワゴンである。
【００１８】
請求項３・４の発明は、前記「イ」〜「へ」と、「ト」を達成することを意図する。
【００１９】
請求項３は、請求項２に記載のワゴンにおいて、
前記各筒体の内側に切込み部をそれぞれ形成し、この各切込み部を、長短構造として、前記対の側枠を折畳みした際に、この対の側枠を重畳可能とする構成としたワゴンである。
【００２０】
請求項４は、請求項１に記載のワゴンにおいて、
前記各側枠及び／又は各側枠支持部の立ち寸法を長短とし、この各側枠を折畳みした際に、この各側枠を、重畳可能とする構成としたワゴンである。
【００２１】
請求項５の発明は、前記「イ」〜「へ」を達成することを意図する。
【００２２】
請求項５は、請求項１に記載のワゴンにおいて、
前記底枠の両端部にそれぞれ設けた側枠支持部は、コ字形の枠体であって、この各枠体に、前記対の側枠の下端の脚部の外面側を接離自在に設け、かつこの各枠体と、この各脚部とを、それぞれ枢軸を介して枢着し、この各枢軸により、前記対の側枠を折畳み可能とする構成としたワゴンである。
【００２３】
請求項６発明は、前記「イ」〜「ト」を達成することを意図する。
【００２４】
請求項６は、請求項５に記載のワゴンにおいて、
前記枢軸を、前記対の側枠に、高低差をもって設け、この対の側枠を折畳んだ際に、この対の側板を、重畳可能とする構成としたワゴンである。
【００２５】
請求項７発明は、前記「イ」〜「へ」を達成することを意図する。
【００２６】
請求項７は、請求項５、又は請求項１に記載のワゴンにおいて、
前記各側枠の下端にそれぞれ設けた側板の内面側に、対の袋部をそれぞれ設け、また、前記対の側枠支持部の内面側に、対の板材をそれぞれ昇降自在に設け、この対の板材を、前記対の袋部に抜差し自在に設けた構成であって、この対の板材の、前記袋部への差込みで、前記対の側枠の立設状態を確保する構成としたワゴンである。
【発明の効果】
【００２７】
請求項１の発明は、ネットフレーム、又は底板でなる底枠と、底枠の四辺、又は二辺に起伏自在に設けたネットフレーム、又は側枠でなる対の側枠とで構成した荷物収容、又は陳列用のワゴンであって、
対の側枠の下端を、底枠の両端部に、それぞれ設けた側枠支持部に枢軸を介して枢着するとともに、対の側枠の立設状態を、対の側枠支持部を介して確保し、かつ、対の側枠間に差渡し支持した棚板、又は天板でなる固定板を介して、対の側枠の固定状態を確保する構成としたワゴンである。
【００２８】
請求項２の発明は、請求項１に記載のワゴンにおいて、
底枠の両端部にそれぞれ設けた側枠支持部には、それぞれ筒体を設け、各筒体に、対の側枠の下端にそれぞれ設けた、長溝を備えた（差込み）脚部を抜差し自在に設け、かつ長溝を、各筒体の上端に、それぞれ貫設した軸に遊嵌する構造とするとともに、各筒体の内側に切込み部をそれぞれ形成し、各切込み部と、各軸とを利用して、対の側枠を折畳み可能とする構成としたワゴンである。
【００２９】
従って、請求項１・２は下記の特徴がある。
【００３０】
「イ」  側枠を底枠に、折畳み可能とすることで、コンパクトな収容が可能となる。
【００３１】
「ロ」  底枠を床面等の設置面において通常の状態で、側枠を底枠に、折畳み可能となり、安心して作業ができる。
【００３２】
「ハ」  底枠を床面等の設置面において通常の状態で、側枠を底枠に、折畳み可能となり、底枠と側枠が平面状に折畳まれることで、次の折畳んだ底枠と側枠を、載置できる。また、この折畳んだ底枠と側枠を、順次、積層できる利点がある。さらに、この折畳みが、止め具、冶具等を必要とせず行える利点がある。
【００３３】
「ニ」  底枠と側枠を平面状に折畳んだ状態で、順次、積層する構造であり、最初に折畳んだ底枠と側枠を基台として、移動可能であること、また、最初に折畳んだ底枠と側枠を基台として、多数の折畳んだ底枠と側枠を、一度に移動できること、等の特徴がある。
【００３４】
「ホ」  側枠を組立てる際に、この側枠が、外方側と内方側への転倒が図れる構造となっており、組立ての容易化と、止め具、冶具等を必要とせず行えること、又は側枠の内方への転倒が皆無となり、危険性の回避と、安心して陳列作業・取替え作業が可能となり重宝する。
【００３５】
「へ」  側枠を組立てる際に、この側枠が、外方側への転倒が図れる構造となっており、かつ固定板で、側板立設状態が確保できるので、前記組立ての容易化の確保と、側枠の内方への転倒が皆無となり、危険性の回避と、安心して陳列作業・取替え作業が確保できる特徴がある。
【００３６】
請求項３の発明は、請求項２に記載のワゴンにおいて、
各筒体の内側に切込み部をそれぞれ形成し、各切込み部を、長短構造として、対の側枠を折畳みした際に、対の側枠を重畳可能とする構成としたワゴンである。
【００３７】
請求項４の発明は、請求項１に記載のワゴンにおいて、
各側枠及び／又は側枠支持部の立ち寸法を長短とし、各側枠を折畳みした際に、各側枠を、重畳可能とする構成としたワゴンである。
【００３８】
従って、請求項３・４は、前記「イ」〜「へ」に加えて、「ト」の特徴がある。
【００３９】
「ト」  折畳み、かつ側枠を重畳する構造を採用することで、底枠の面に沿って、二枚、又は四枚の側枠を、略フラットに折畳み可能であり、整然と、かつ安心して折畳みができる特徴がある。
【００４０】
請求項５の発明は、請求項１に記載のワゴンにおいて、
底枠の両端部にそれぞれ設けた側枠支持部は、コ字形の枠体であって、各枠体に、対の側枠の下端の脚部の外面側を接離自在に設け、かつ各枠体と、各脚部とを、それぞれ枢軸を介して枢着し、各枢軸により、対の側枠を折畳み可能とする構成としたワゴンである。
【００４１】
従って、請求項５は、前記「イ」〜「へ」を達成できる特徴がある。
【００４２】
請求項６の発明は、請求項５に記載のワゴンにおいて、
枢軸を、対の側枠に、高低差をもって設け、対の側枠を折畳んだ際に、対の側板を、重畳可能とする構成としたワゴンである。
【００４３】
従って、請求項６は、前記「イ」〜「ト」を達成できる特徴がある。
【００４４】
請求項７の発明は、請求項５、又は請求項１に記載のワゴンにおいて、
各側枠の下端にそれぞれ設けた側板の内面側に、対の袋部をそれぞれ設け、また、対の側枠支持部の内面側に、対の板材をそれぞれ昇降自在に設け、対の板材を、対の袋部に抜差し自在に設けた構成であって、対の板材の、前記袋部への差込みで、対の側枠の立設状態を確保する構成としたワゴンである。
【００４５】
請求項７発明は、前記「イ」〜「へ」を達成できる特徴がある。
【図面の簡単な説明】
【００４６】
【図１−１】第一実施例の組立て状態を示した俯瞰斜視図
【図１−２】第一実施例の折畳み状態を示し、中間棚を取外した俯瞰斜視図
【図１−３】図１−２に続いて、図面において（以下省略）左側枠を折畳んだ状態を示した俯瞰斜視図
【図１−４】図１−３に続いて、左側枠に、右側枠を折畳んだ状態を示した俯瞰斜視図
【図２−１】第一実施例における折畳み代構造を拡大して示した正面図
【図２−２】図２−１に続いて、左側枠を引上げ折畳み前の状態を拡大して示した側面図
【図２−３】図２−１の断面図
【図３】図２−１のＡ矢視を示した拡大側面図
【図４−１】他の第一実施例の組立て状態を示した俯瞰斜視図
【図４−２】他の第一実施例の折畳み状態を示し、中間棚を取外した俯瞰斜視図
【図４−３】図４−２に続いて、左側枠を折畳んだ状態を示した俯瞰斜視図
【図４−４】図４−３に続いて、左側枠に、右側枠を折畳んだ状態を示した俯瞰斜視図
【図４−５】第一実施例の他の使用を示すものであり、低所の陳列台（ステージ）として使用する一例の斜視図
【図５】他の第一実施例における折畳み代構造を拡大して示した正面図
【図６】図５のＢ矢視を示した拡大側面図
【図７−１】第二実施例の組立て状態を示した俯瞰斜視図
【図７−２】第二実施例の折畳み状態を示し、中間棚を取外した俯瞰斜視図
【図７−３】図７−２に続いて、左側枠を折畳んだ状態を示した俯瞰斜視図
【図７−４】図７−３に続いて、左側枠に、右側枠を折畳んだ状態を示した俯瞰斜視図
【図８−１】第二実施例における折畳み代構造を拡大して示した正面図
【図８−２】図８−１に続いて、右側枠の折畳み前の状態を拡大して示した側面図
【図９】図８−１のＡ矢視を示した拡大側面図
【図１０−１】第二実施例の他の使用を示すものであり、低所の陳列台として使用する一例の斜視図
【図１０−２】図１０−１の実際の使用の一例の斜視図
【発明を実施するための形態】
【００４７】
図１−１〜図３に示した第一実施例を説明すると、１は図示の底板、又は図示しないネットフレーム、棧構造枠等（一例である。以下、同じ）でなる底枠（底板）で、この底枠１の長手方向Ｘの左右側端部１ａ、１ｂ（例えば、図１において）には、板状、又はメッシュでなる側枠支持部２、３が立設されている。この側枠支持部２、３の短手方向Ｙの端部には、筒体５、５と６、６（対の例では、一方の符号を示す）が設けられている。この筒体５、６の立ち寸法は、原則として、側枠支持部２、３の立ち寸法と同じとする。また、この筒体５、６の内側（対峙面）には、それぞれ切欠き部５００、６００が形成されており、この切欠き部５００、６００を利用して、後述する左右側枠を折畳む構造である。この切欠き部５００と、切欠き部６００との間に、高低差（折畳み代）を設けて、この左右側枠を折畳む際に、この側枠を重畳可能とすることもあり得る。
【００４８】
この側枠支持部２、３の上面には、側枠板体、又はメッシュ、格子・棧構造等でなる側枠７、８が起立されるとともに、この側枠支持部２、３の前後側端部（例えば、図１において、両端部）には、角筒状の筒体５、６が設けられている。この筒体５、６には、側枠７、８の短手方向Ｙの両端であって、かつその下端より、それぞれ延設した平板状の脚部７００、８００が、抜差し自在に設けられる。また、この側枠７、８の立ち寸法（立上りの長さ）は、底枠１の長手方向Ｘと、略同じ寸法となっているが、一例である（以下、同じ）。この脚部７００、８００には、長溝７０１、８０１が設けられており、この長溝７０１、８０１には、筒体５、６の上部５０１、６０１に貫設、固止した軸１０、１１が挿設されている。従って、側枠７、８を折畳む場合には、例えば、向って、左側の側枠７を引上げ、かつその下端の両脚部７００（一方で説明する）を各軸１０に沿って引上げる。そして、長溝７０１の下端が、軸１０に到った段階で、この側枠７を、長手方向Ｘの内側に折畳むが、この際に、筒体５に切欠き部５００が設けられていることから、この脚部７００の折畳みが可能となることと、この筒体５の立ち寸法内に、側枠７が収められる。続いて、向って、右側の側枠８を引上げ、かつその下端の脚部８００を軸１１に沿って引上げる。そして、長溝８０１の下端が、軸１１に到った段階で、この側枠８を、長手方向Ｘの内側に折畳むが、この際に、筒体６に切欠き部５００が設けられていることから、この脚部８００の折畳みが可能となることと、この筒体６の立ち寸法内に、側枠８が収められるとともに、既に折畳まれている側枠７の上に折畳まれる。この折畳みに関しては、止め具、冶具等を必要とせず行えるのが最大の特徴であり、従来の問題を解消できる（以下同じ）。
【００４９】
また、折畳んだ側枠７、８を、起立（立設）する場合には、向って、右側の側枠８を引上げると、その下端の両脚部８００が、軸１１を基点として、可動すると共に、長溝８０１が、軸１１をガイドとして下り、この側枠８のスムーズな起立が図れる。また、最初に起立した際に、脚部８００が筒体６の外側に規制されることで、この側枠８の転倒防止に役立つ構造となっている。そして、側枠８の脚部８００が筒体６に差込まれることで、この側枠８の起立が確保される。続いて、左側の側枠７を引上げると、その下端の両脚部７００が、軸１０を基点として、可動すると共に、長溝７０１が、軸１０をガイドとして下り、この側枠７のスムーズな起立が図れる。また、最初に起立した際に、脚部７００が筒体５の外側に規制されることで、この側枠７の転倒防止に役立つ構造となっている。そして、側枠７の脚部７００が筒体５に差込まれることで、この側枠７の起立が確保される。続いて、起立した側枠７、８の適所の短手方向Ｙ（横方向）のネット７ａ、８ａに、固定板１２を係止することで、図１−１に示したワゴンＡが組立てられる。尚、この固定板１２は、側枠７、８の固定と共に、中間棚として利用する。固定板１２は、例えば、図示のネットフレーム、又は図示しない底板、棧構造枠等でなる。この固定板１２の両端部には、例えば、短手方向Ｙのネット７ａ、８ａに係止するフック１２００を複数個有する。そして、図示しないが、後枠を組付けることも可能である。また、図示しないが、各側枠７、８、及び／又は側枠支持部２、３の立ち寸法（立上り寸法）を、左右側で、高低の折畳み代を設け、各側枠７、８全体の重畳した折畳みも可能である。図中１３は車輪である。この起立に関しては、止め具、冶具等を必要とせず行えるのが最大の特徴であり、従来の問題を解消できる（以下同じ）。
【００５０】
次に、図４−１〜が４−４と、図６に示した他の第一実施例では、前記の第一実施例と基本的な構造は同じであるが、この他の第一実施例では、側枠７、８が、枠体のみでなる構造である。勿論、前述の側枠板体、又はメッシュ等でも可能である。また、この側枠７、８の立ち寸法は、底枠１の長手方向Ｘの略半分の構造となっている。従って、側板７、８の折畳み状態では、その先端部にある、例えば、差渡し部７０２、８０２のみが重なる構造となる。また、固定板１２に代わり、天板１５が採用されものであり、その隅部１５００の鍔片が、側枠７、８の差渡し部７０２、８０２に架承係止されることで、この側枠７、８の固定と共に、天板として利用する。尚、その折畳みと、起立は前述の第一実施例に準ずる。この一例は、ワゴンＡとしての利用と、作業台、収容台等とての利用も可能である。
【００５１】
また、図４−５は、他の第一実施例の他の使用を示すものであり、低所の陳列台（ステージ）として使用する一例であり、この図においては、前記側板７、８を折畳んだ後に、側枠支持部２、３の上端を利用して、天板１５の隅部１５００を架承する例であり、この天板１５の対のフック１２００を、側枠支持部２、３に係止し、ステージＡ１として使用する。その使用方法は後述する。
【００５２】
続いて、図７−１〜図９に示した第二実施例を説明すると、１は図示の底板、又はネットフレーム、棧構造枠等でなる底枠で、この底枠１の長手方向Ｘの左右側端部１ａ、１ｂには、板状、又はメッシュでなる側枠支持部２、３が立設されている。この側枠支持部２、３の短手方向Ｙの両端部には、コ字形の枠体５０、６０が設けられている。この枠体５０、６０の立ち寸法は、原則として、側枠支持部２、３の立ち寸法と同じとする。また、この枠体５０、６０の内側には、それぞれ差込み空間５０００、６０００が形成されており、この差込み空間５０００、６０００を利用して、後述する左右側枠を起立、折畳む構造である。そして、後述するが、差込み空間５０００、６０００に段差を持って、側枠７、８を枢着する構造では、この側枠７、８を折畳み、重畳できる特徴がある。
【００５３】
この差込み空間５０００、６０００には、側枠板体、又はメッシュ、格子・棧構造等でなる側枠７、８の短手方向Ｙの両端であって、かつその下端より脚部７００、８００が延設されている。この脚部７００、８００は、前記差込み空間５０００、６０００に枢軸５１、５２をもって枢着されていることで、この脚部７００、８００は、差込み空間５０００、６０００を利用して、起立、又は折畳み可能とする。即ち、起立状態では、この差込み空間５０００、６０００を構成するコ字形の枠部材に、それぞれ脚部７００、８００の外面側が添設されて固定される（外側への転倒防止である。尚、内側への転倒防止は、後述する）。また、折畳み時には、脚部７００、８００の基端が、差込み空間５０００、６０００内に、僅かな間隔を持って設けられる構造である。また、この側枠７、８の立ち寸法は、底枠１の長手方向Ｘと、略同じ構造となっているが、一例である（以下、同じ）。また、側枠７、８の起立（立設）状態を確保する機構が設けられており、底板１の左右端部に設けた袋部５３、５４と、この袋部５３、５４に抜差しされる、前記側枠７、８の基端部（側枠支持部２、３）に設けた板材５５、５６とで構成されている。そして、この板材５５、５６は、長孔と止め螺子とを利用して、昇降自在に設けられる。これにより、例えば、袋部５３、５４に、板材５５、５６を、それぞれ差込んだ状態で、この側板７、８は、底板１の左右端部に固定的に支持される。また、この板材５５、５６が下がった状態では、板材５５、５６は、袋部５３、５４内に収容されて、側枠７、８の折畳みには障害とならない。尚、袋部５３、５４と板材５５、５６との構造は、一例であり、図示しない、楔構造、カム構造等の、他のストッパー機構でも可能である。なお、図示しないが、この袋部５３、５４と、板材５５、５６、並びに側板１７、１８の構造は、他の実施例も採用できる。
【００５４】
そこで、側板７、８の折畳む場合には、例えば、向って、左側の側枠７を固定する板材５５を袋部５３より抜出することで、この側枠７に対する規制が解除されることと、この側枠７の内側への折畳みができる。この側枠７を折畳みは、この側枠７の脚部７００が、枠体５０の差込み空間５０００の枠部に枢軸５１を介して、枢着されている構造と、この側枠７の基端が、差込み空間５０００内に、僅かな間隔を持って収められていること等を利用して、この側枠７を折畳み、底板１の上に、折畳み、かつ載架する。続いて、向って、右側の側枠８を固定する板材５６を袋部５４より抜出することで、この側枠８に対する規制が解除されることと、この側枠８の内側への折畳みができる。この側枠８を折畳みは、この側枠８の脚部８００が、枠体６０の差込み空間６０００の枠部に枢軸５２を介して、枢着されている構造と、この側枠８の基端が、差込み空間６０００内に、僅かな間隔を持って収められていること等を利用して、この側枠８を折畳み、既に、折畳まれた側枠７の上に、折畳み、かつ重畳される。これにより、左右の側枠７、８の折畳みが完了する。この状態を確保するために、枢軸５１に対して枢軸５２が、底枠１に対して、高く構成されており、折畳み代を確保する構造としてあるが、一例である。また、この枢軸５１、５２が同じ位置であっても、この側枠７、８が長い状態でおれば、距離を稼げる関係上で、前記折畳みは可能である。
【００５５】
また、折畳んだ側枠７、８を、起立（立設）する場合には、向って、右側の側枠８を引上げると、その下端の両脚部８００が、枢軸５２を基点として、可動すると共に、枠体６０の差込み空間６０００内に収まり、この側枠８のスムーズな起立が図れる。この起立の際に、脚部８００が差込み空間６０００を構成する枠部材（枠体５０の枠部材）に規制されるので、袋部５４に板材５６を差込み操作することで、この側枠８が起立される。このようにして、脚部８００が差込み空間６０００を構成する枠部材に規制されることで、この側枠８の転倒防止に役立つ構造となっている。続いて、右側の側枠７を引上げると、その下端の両脚部７００が、枢軸５１を基点として、可動すると共に、枠体５０の差込み空間５０００内に収まり、この側枠８のスムーズな起立が図れる。この起立の際に、脚部７００が差込み空間５０００を構成する枠部材（枠体５０の枠部材）に規制されるので、袋部５３に板材５５を差込み操作することで、この側枠７が起立される。このようにして、脚部７００が差込み空間５０００を構成する枠部材に規制されることで、この側枠８の転倒防止に役立つ構造となっている。
【００５６】
尚、図１０−１は、第二実施例の他の使用を示すものであり、低所の陳列台（後述するステージ）として使用する一例の斜視図と、この図１０−２の如く、図１０−１の実際の使用の一例の斜視図においては、前記側板７、８を折畳んだ後に、側枠支持部２、３を利用して、固定板１２を架承する例であり、この固定板１２の対のフック１２００を、側枠支持部２、３の上端に係止し、ステージＡ１として使用する。例えば、図１０−２の如く、箱物の飲料水、缶詰、又は珈琲瓶等の陳列用として使用する。このステージＡ１としての使用は、第一実施例等でも可能である。
【００５７】
以上のようにして、側枠７、８が起立された状態で、この側枠７、８の適所の短手方向Ｙのネット７ａ、８ａに、固定板１２を係止することで、図７−１に示したワゴンＡが組立てられる。そして、図示しないが、後枠を組付けることも可能である。
【符号の説明】
【００５８】
１              底枠
１ａ            左側端部
１ｂ            右側端部
２              側枠支持部
３              側枠支持部
５              筒体
５００          切欠き部
５０１          上部
６              筒体
６００          切欠き部
６０１          上部
７              側枠
７ａ            ネット
７００          脚部
７０１          長溝
７０２          差渡し部
８              側枠
８ａ            ネット
８００          脚部
８０１          長溝
８０２          差渡し部
１０            軸
１１            軸
１２            固定板
１２００        フック
１３            車輪
１５            天板
１５００        隅部
１７            側板
１８            側板
５０            枠体
５０００        差込み空間
６０            枠体
６０００        差込み空間
５１            枢軸
５２            枢軸
５３            袋部
５４            袋部
５５            板材
５６            板材
Ａ              ワゴン
Ａ１            ステージ
Ｘ              長手方向
Ｙ              短手方向
【図１−１】
2013048862.tif 000003
【図１−２】
2013048862.tif 000004
【図１−３】
2013048862.tif 000005
【図１−４】
2013048862.tif 000006
【図２−１】
2013048862.tif 000007
【図２−２】
2013048862.tif 000008
【図２−３】
2013048862.tif 000009
【図３】
2013048862.tif 000010
【図４−１】
2013048862.tif 000011
【図４−２】
2013048862.tif 000012
【図４−３】
2013048862.tif 000013
【図４−４】
2013048862.tif 000014
【図４−５】
2013048862.tif 000015
【図５】
2013048862.tif 000016
【図６】
2013048862.tif 000017
【図７−１】
2013048862.tif 000018
【図７−２】
2013048862.tif 000019
【図７−３】
2013048862.tif 000020
【図７−４】
2013048862.tif 000021
【図８−１】
2013048862.tif 000022
【図８−２】
2013048862.tif 000023
【図９】
2013048862.tif 000024
【図１０−１】
2013048862.tif 000025
【図１０−２】
2013048862.tif 000026